(57)【特許請求の範囲】
【請求項１】
重ね合わせ接着する少なくとも第１紙片及び第２紙片に対し、縁部の１辺を折り部又は接合部として他の３辺を接着させ、何れかの隅部の剥離開始端より対角方向の剥離終端にかけた剥離方向に剥離開封させる重ね合わせ接着シートであって、
前記第１紙片及び第２紙片の何れかの前記３辺に、細長形状の長手方向を前記剥離方向と略同じ方向とした形状の剥離剤不形成領域が断続的に設けられて形成される剥離層と、
少なくとも前記剥離剤不形成領域に接着剤が塗布されて形成される接着層と、
を有することを特徴とする重ね合わせ接着シート。
【発明の詳細な説明】
【技術分野】
【０００１】
本発明は、縁部に形成された接着層により重ね合わせ接着されて接着層部分より剥離開封される重ね合わせ接着シートに関する。
【背景技術】
【０００２】
近年、剥離自在に重ね合わせ接着された接着シートは、帳票、封書、はがき、パンフレット、冊子等に広く用いられるようになってきている。このような重ね合わせ接着シートは、剥離開封する際に紙破れを防止必要がある。
【０００３】
従来、後に剥離開封して情報等を認識させる重ね合わせ接着シートは種々知られている。例えば、特許文献１に記載されているように、三つ折りされた封書上紙片と封書中紙片と封書下紙片の周縁を接着して封書を作製するための三つ折封書用帳票の表面側及び裏面側の縦方向に設けられる接着剤を破線棒状とし、横方向に設けられる接着剤を直線状とした三つ折封書用帳票が知られている。
【０００４】
また、特許文献２に記載されているように、用紙を２つの折り線によって三つ折りしたのち、さらに折り線で四つ折りすることにより定形郵便物サイズに折り畳み、四周に開口する紙面の周縁部に間隔を開けたドット状に塗布した接着剤によって通気可能かつ再剥離可能に封緘する封書が知られている。
【０００５】
さらに、特許文献３に記載されているように、綴じ合わせ部における対向面それぞれに剥離剤を塗布し、綴じ合わせ部において相対向する剥離剤塗布部分それぞれに、剥離剤塗布部分の重ね合わせ時に少なくとも一部が重なる剥離剤未塗布部を設けて、少なくとも一方の剥離剤未塗布部を不連続とし、剥離剤未塗布部を覆う直線状に形成された接着剤を介して相対向する綴じ合わせ部を分離可能に綴じ合わせた封書が知られている。
【先行技術文献】
【特許文献】
【０００６】
【特許文献１】特開平０７−０１７１７１号公報
【特許文献２】特許３１５３９０８号公報
【特許文献３】特許３７１７００１号公報
【発明の概要】
【発明が解決しようとする課題】
【０００７】
しかしながら、上記各特許文献に記載されているような接着剤は接着力の弱い疑似接着用のものではなく、水性系接着剤を使用しており、剥離開封の際には接着剤の厚み方向の層間で剥がれるように分離されていくものであるが、接着剤を上記破線棒状、ドット状若しくは不連続に形成させた形状では、スポット的な接着であっても局所的に強接着力で接着されるために剥離開封時に加えられる力が接着剤の層間に集中せずに紙破れを生じやすいという問題がある。
【０００８】
そこで、本発明は上記課題に鑑みなされたもので、剥離開封時に紙破れを防止する重ね合わせ接着シートを提供することを目的とする。
【課題を解決するための手段】
【０００９】
上記課題を解決するために、請求項１の発明では、重ね合わせ接着する少なくとも第１紙片及び第２紙片に対し、縁部の１辺を折り部又は接合部として他の３辺を接着させ、何れかの隅部の剥離開始端より対角方向の剥離終端にかけた剥離方向に剥離開封させる重ね合わせ接着シートであって、前記第１紙片及び第２紙片の何れかの前記３辺に、細長形状の長手方向を前記剥離方向と略同じ方向とした形状の剥離剤不形成領域が断続的に設けられて形成される剥離層と、少なくとも前記剥離剤不形成領域に接着剤が塗布されて形成される接着層と、を有する構成とする。
【発明の効果】
【００１０】
請求項１の発明によれば、縁部の一辺を折り部又は接合部として他の３辺を接着させ、何れかの隅部の剥離開始端より対角方向の剥離終端にかけた剥離方向に剥離開封させる少なくとも第１紙片及び第２紙片の何れかの３辺に、細長形状の長手方向を剥離方向と略同じ方向とした形状の剥離剤不形成領域が断続的に設けられた剥離層を形成し、少なくとも剥離剤不形成領域に接着剤が塗布された接着層を形成させる構成とすることにより、接着層が剥離方向に細長くなり、開封時に剥離される接着層の領域が少なくなって破壊による層間での分離がされやすくなり、紙破れを防止することができるものである。
【図面の簡単な説明】
【００１１】
【図１】本発明に係る重ね合わせ接着シートにおける実施形態の構成図である。
【図２】図１の重ね合わせ接着シートの各部断面図である。
【図３】図１の重ね合わせ接着シートの一部剥離状態の説明図である。
【図４】本発明に係る重ね合わせ接着シートにおける他の実施形態の説明図である。
【発明を実施するための形態】
【００１２】
以下、本発明の実施形態を図により説明する。なお、この実施形態における各断面図は、理解を容易にするために寸法（特に厚み）を無視している。
【００１３】
図１に本発明に係る重ね合わせ接着シートにおける実施形態の構成図を示すと共に、図２に図１の重ね合わせ接着シートの各部断面図を示す。図２（Ａ）は図１（Ｂ）のＡ−Ａ（Ｂ−Ｂ）断面図、図２（Ｂ）は図１（Ｂ）のＣ−Ｃ断面図、図２（Ｃ）は図１（Ａ）のＤ−Ｄ断面図である。
【００１４】
図１（Ａ）において、重ね合わせ接着シート１１は、第１紙片１２と第３紙片１３とが折り部１４（図１（Ｂ））により折り重ね接着されたもので、第１紙片１２の折り方向の長さが第２紙片１３より短く、折り重ねたときに第２紙片１３には第１紙片１２と重ならない重ね合わせ延長部１５が形成されることとなる。また、折り重ねた第１紙片１２の延長部１５側端部で当該第２紙片１３に対して段差部１６が形成される。当該段差部１６は、例えば下隅（上隅でもよい）が剥離開始端１７とされ、当該剥離開始端１７より対角方向への剥離方向Ｔｏｆｆに剥離されるものとされる。なお、重ね合わせ延長部１５及び段差部１６を設けなくともよく、この場合には剥離開始端１７の部分を不接着とさせればよい。
【００１５】
図１（Ｂ）に示すように、第１紙片１２及び第２紙片１３が折り部１４で連設される。紙類として、例えばコート紙が用いられる。また、図１（Ｂ）、（Ｃ）に示すように、第２紙片１３の縁部であって、折り部１４の辺以外の３辺に「コ」の字状に剥離層２１が剥離剤不形成領域２２を断続的（例えば等間隔）に有して形成される。剥離剤として、例えばニスが使用される。なお、第２紙片１３における上記３辺のうちの１辺は、重ね合わせ延長部１５を除いたものとしての辺であって、重ね合わせ延長部１５の有無に拘わらず、重ね合わせ対象の紙片（第１紙片１２）の対応する辺（折り部１４に対向する辺）が重ねられる辺である。
【００１６】
上記剥離剤不形成領域２２は、長方形状の細長形状で所定間隔に並設させたものであって、長手方向を、例えば図１（Ａ）に示す第１紙片１２の右下隅を剥離開始端１７とした場合、当該剥離開始端１７より対角方向の剥離終端にかけた剥離方向（右下隅から左上隅）Ｔｏｆｆの方向と略同じ方向とさせたものである。当該剥離剤不形成領域２２を含む剥離層２１の形成は、例えば型（版）により形成することができる。
【００１７】
上記並設された剥離剤不形成領域２２を含む剥離層２１上には接着層３１が塗布形成され、図２（Ａ）、（Ｂ）に示すように、当該剥離剤不形成領域２２に入り込んだ接着剤の接着層３１により第１紙片１２及び第２紙片１３が重ね接着されることとなる。当該接着層３１（剥離剤不形成領域２２）の間隔は、接着力の調整に応じて適宜形成されるが、細長形状の長手方向に対する幅方向の長さより大であることが好適である。接着剤としては、水性エマルジョン系のものが使用される。
【００１８】
なお、接着層３１を形成するにあたり、図のように連続的とせずに、剥離剤不形成領域２２にのみ接着剤を形成させて断続的とさせることとしてもよく、また、連続的な辺と断続的な辺とを混在させてもよい。断続的とさせる場合には、剥離層２１の剥離剤不形成領域２２上に接着剤を滴下状に塗布させて当該剥離剤不形成領域２２内に入り込ませればよく、剥離剤不形成領域２２におおよそかかる程度で厳密な塗布精度を要しない。
【００１９】
そして、第１紙片１２を折り部１４より第２紙片１３側に折り曲げることで接着層３１により重ね合わせ接着されるもので、図２（Ｃ）（図１（Ａ）のＤ−Ｄ断面図）に示すように、接着層３１を構成する接着剤は剥離層２１上に形成されると共に、各剥離剤不形成領域２２内に入り込む状態となる。この場合、接着層３１は剥離層２１に密接する部分では剥離力に応じた接着力を有し、第２紙片１３に対して断続的に形成された接着層３１の接着力を有することとなる。
【００２０】
そこで、図３に、図１の重ね合わせ接着シートの一部剥離状態の説明図を示す。図３（Ａ）は剥離開始直後の状態を示したもので、図３（Ｂ）はそのＥ−Ｅ断面図、図３（Ｃ）はそのＦ−Ｆ断面図である。図３（Ａ）において、図１（Ａ）に示す重ね合わせ接着シート１１における第１紙片１２を段差部１６の右下隅の剥離開始端１７より引き上げて剥離を開始すると、幅方向のＥ−Ｅ断面及び長手方向のＦ−Ｆ断面における接着層３１では、図３（Ｂ）、（Ｃ）に示すように、剥離層２１上に形成された接着層３１の接着剤は当該剥離層２１より剥離され、剥離剤不形成領域２２内に流れ込んだ各接着剤が厚さ方向で分断されるように分離していくことで剥離される。
【００２１】
この場合、剥離剤不形成領域２２に形成された接着層３１は、その形状が細長の長方形状であり、その長手方向が剥離方向Ｔｏｆｆと略同じ方向であることから、接着層３１が剥離方向に細長くなり、開封時に剥離される接着層３１の領域が少なくなって破壊による層間での分離がされやすくなり、紙破れを防止することができるものである。
【００２２】
次に、図４に、本発明に係る重ね合わせ接着シートにおける他の実施形態の説明図を示す。図４は、上記実施形態の剥離剤不形成領域２２の形状を異ならせたもので、基本的には細長形状であり、その長手方向を剥離方向Ｔｏｆｆと略同じ方向に形成したものである。
【００２３】
すなわち、図４（Ａ）に示す剥離剤不形成領域２２Ａは細長の三角形状で剥離方向Ｔｏｆｆの剥離終端側を頂点とした形状として、その長手方向を当該剥離方向Ｔｏｆｆと略同じ方向に形成したものである。また、図４（Ｂ）に示す剥離剤不形成領域２２Ｂは細長の楕円形状として、その長手方向を当該剥離方向Ｔｏｆｆと略同じ方向に形成したものである。さらに、図４（Ｃ）に示す剥離剤不形成領域２２Ｃは細長のひし形形状として、その長手方向を当該剥離方向Ｔｏｆｆと略同じ方向に形成したものである。
【００２４】
上記のように剥離剤不形成領域２２Ａ〜２２Ｃの形状として、その長手方向を当該剥離方向Ｔｏｆｆと略同じ方向に形成とすることによっても、上記同様に接着層３１が剥離方向に細長くなり、開封時に剥離される接着層３１の領域が少なくなって破壊による層間での分離がされやすくなり、紙破れを防止することができるものである。
【００２５】
ところで、上記実施形態では、第２紙片１３に剥離層２１（剥離剤不形成領域２２，２２Ａ〜２２Ｃ）、接着層３１を形成させた場合を示したが、第１紙片１２に形成してもよく、また、両方に形成しても同様である。
【００２６】
また、上記実施形態では、２つ折りの重ね合わせ接着シートについて説明したが、３紙片（連設されたａ紙片、ｂ紙片、ｃ紙片）のＺ折りにする場合であっても同様である。すなわち、ａ紙片を上記第１紙片１２、ｂ紙片を上記第２紙片１３として、ｂ紙片における第１面（ａ紙片との重ね合わせ面）の折り部の辺以外の３辺に、上記のように剥離層２１（剥離剤不形成領域２２，２２Ａ〜２２Ｃ）及び接着層３１を形成して重ね合わせ、これをさらに第１紙片１２とし、ｃ紙片を第２紙片１３として当該ｃ紙片の重ね合わせ面における折り部の辺以外の３辺に、剥離層２１（剥離剤不形成領域２２，２２Ａ〜２２Ｃ）及び接着層３１を形成して第１紙片１２（重ね接着されたａ紙片及びｂ紙片）のｂ紙片の第２面（第１面の裏面）と重ね合わせることで重ね合わせ接着シート１１とさせるものである。
【００２７】
さらに、上記実施形態では、２つの紙片の重ね合わせ接着シート１１について説明したが、これを冊子（例えば単葉のａ紙片、ｂ紙片、ｃ紙片）に適用させる場合、まず、ａ紙片を上記第１紙片１２、ｂ紙片を上記第２紙片１３として、ｂ紙片の第１面（ａ紙片との重ね合わせ面）の接合部の辺以外の３辺に、上記のように剥離層２１（剥離剤不形成領域２２，２２Ａ〜２２Ｃ）及び接着層３１を形成して重ね合わせ、これをさらに第１紙片１２とし、ｃ紙片を第２紙片１３として当該ｃ紙片の重ね合わせ面における接合部の辺以外の３辺に、剥離層２１（剥離剤不形成領域２２，２２Ａ〜２２Ｃ）及び接着層３１を形成して第１紙片１２（重ね接着されたａ紙片及びｂ紙片）におけるｂ紙片の第２面（第１面の裏面）と重ね合わせることで重ね合わせ接着シート１１とさせるものである。
【産業上の利用可能性】
【００２８】
本発明の重ね合わせ接着シートは、帳票、封書、はがき、パンフレット、冊子等の製造、販売、使用等の産業に利用可能である。
【符号の説明】
【００２９】
１１            重ね合わせ接着シート
１２            第１紙片
１３            第２紙片
１４            折り部
１５            重ね合わせ延長部
１６            段差部
１７            剥離開始端
２１            剥離層
２２            剥離剤不形成領域
３１            接着層
【図１】
0006649032.tif 000002
【図２】
0006649032.tif 000003
【図３】
0006649032.tif 000004
【図４】
0006649032.tif 000005